(57)【要約】      （修正有）【課題】スリーブを鉄筋の適切な位置に確実且つ容易に固定支持させることができると共に、スリーブの固定支持箇所が直管部分と曲管部分のいずれの部分であっても対応可能なスリーブ固定具を提供する。【解決手段】棒状針金部材から形成されたスリーブ支持部２と、スリーブ支持部２の上端左右両側に形成された鉄筋掛止部３と、を有し、スリーブ支持部２が１本構成の棒状針金部材を略一定間隔毎に８回折曲加工されて、１つ目の折曲部分の手前側部分と８つ目の折曲部分の向こう側部分とが一定間隔と同じ長さ分だけ重合した１辺２１と、該１辺に連設する７辺の計８辺から成る略正８角形構成であり、鉄筋掛止部３が重合した１辺２１の左右の各々に２箇所で屈曲するクランク部３１を各々有し、左右のクランク部３１が横鉄筋の上面に載置されると共に、２本の立ち上がり鉄筋の内側に係合可能であり、鉄筋掛止部３の両端部が２本の縦鉄筋の上面に架橋可能な構成とする。【選択図】図１
2018012920.tif 000002
【特許請求の範囲】
【請求項１】
１本構成の棒状針金部材を一巻きした状態で形成されたスリーブ支持部と、この一巻きした棒状針金部材の両端部が左右方向に延伸して前記スリーブ支持部の上端左右両側に連設した状態で形成された鉄筋掛止部と、を有し、
前記スリーブ支持部が、該スリーブ支持部に挿通して支持するスリーブの外径と略等しい内径を有して成るスリーブ固定具であって、
前記スリーブ支持部が、両端部分を余らせた状態で１本構成の棒状針金部材を略一定間隔毎に約４５度の角度で８回折曲加工されて１つ目の折曲部分の手前側部分と８つ目の折曲部分の向こう側部分とが前記一定間隔と同じ長さ分だけ重合した１辺と該１辺に連設する７辺の計８辺から成る略正８角形構成であり、
前記鉄筋掛止部が、前記の重合した１辺の左右の各々に、該重合した１辺と同一水平面上において２箇所で屈曲するクランク部を各々有し、
前記鉄筋掛止部の左右のクランク部が、支持するスリーブの管軸方向に直交する上方の横鉄筋の上面に載置されると共に、左右のクランク部が立設する２本の立ち上がり鉄筋の内側に係合可能な構成であり、
前記鉄筋掛止部の両端部が、支持固定するスリーブの管軸方向と平行する上方の左右両側の２本の縦鉄筋の上面に架橋可能な構成であること、
を特徴とするスリーブ固定具。
【請求項２】
前記スリーブ支持部を構成する計８辺の内の前記重合した１辺と対向する１辺である最下方の１辺が略正８角形の外側方向である下方に膨出した構成であることを特徴とする請求項１に記載のスリーブ固定具。
【請求項３】
前記鉄筋掛止部は、その表面に凹凸・リブ・節・粗面の如き何れかの表面加工が施された構成であることを特徴とする請求項１又は２に記載のスリーブ固定具。
【請求項４】
前記クランク部の２箇所の屈曲がいずれも略直角であることを特徴とする請求項１〜３のいずれかに記載のスリーブ固定具。
【請求項５】
前記クランク部の２箇所の屈曲がいずれも鋭角であることを特徴とする請求項１〜３のいずれかに記載のスリーブ固定具。
【発明の詳細な説明】
【技術分野】
【０００１】
本発明はスリーブ固定具に関し、詳しくはコンクリート打設前の鉄筋内にスリーブを固定するスリーブ固定具に関する。
【背景技術】
【０００２】
例えば、ＲＣ（鉄筋コンクリート）造あるいはＳＲＣ（鉄骨鉄筋コンクリート）造建物の躯体工事において、梁や壁等の躯体に形成される貫通孔は躯体用鉄筋にスリーブを固定した後にコンクリート打設がなされる。
【０００３】
従来、例えば、鉄筋にスリーブを固定するには、円環状に一巻きした針金部材からなるスリーブ固定具を貫通孔付近の鉄筋に取り付けて、この固定具の円環部分にスリーブを挿通固定する等の構成を採っていた（特許文献１参照）。
【０００４】
特許文献１に記載の技術は、
支持固定するスリーブの管軸方向に直交する上方の横鉄筋に、スリーブ固定具の円環の両端部に形成されたフック部を引掛けることによりスリーブの直管部分を鉄筋に固定する構成のものと、
支持固定するスリーブの管軸方向と平行する上方の左右両側の２本の縦鉄筋に、
スリーブ固定具の円環の両端を左右両側に延長させた左右延長部の各々を載置することによりスリーブの曲管部分を鉄筋に固定する構成のものと、
の２種類のスリーブ固定具を用意することによって、スリーブの直管部分と曲管部分の両方箇所の支持固定を可能としたものである。
【先行技術文献】
【特許文献】
【０００５】
【特許文献１】特開２００５−８３１２７号
【発明の概要】
【発明が解決しようとする課題】
【０００６】
しかし、特許文献１に記載の技術では、スリーブの直管部分を固定支持するスリーブ固定具と、曲管部分を固定支持するスリーブ固定具の２種類を固定支持箇所に応じた数を予め把握して用意しなければならず、準備や施工場所への搬入などが煩雑となり易いという問題点を有している。
【０００７】
そこで本発明の課題は、スリーブを鉄筋の適切な位置に確実且つ容易に固定支持させることができると共に、スリーブの固定支持箇所が直管部分と曲管部分のいずれの部分であっても対応可能なスリーブ固定具を提供することにある。
【課題を解決するための手段】
【０００８】
上記課題を解決する本発明は下記構成を有する。
【０００９】
１．１本構成の棒状針金部材を一巻きした状態で形成されたスリーブ支持部と、この一巻きした棒状針金部材の両端部が左右方向に延伸して前記スリーブ支持部の上端左右両側に連設した状態で形成された鉄筋掛止部と、を有し、
前記スリーブ支持部が、該スリーブ支持部に挿通して支持するスリーブの外径と略等しい内径を有して成るスリーブ固定具であって、
前記スリーブ支持部が、両端部分を余らせた状態で１本構成の棒状針金部材を略一定間隔毎に約４５度の角度で８回折曲加工されて１つ目の折曲部分の手前側部分と８つ目の折曲部分の向こう側部分とが前記一定間隔と同じ長さ分だけ重合した１辺と該１辺に連設する７辺の計８辺から成る略正８角形構成であり、
前記鉄筋掛止部が、前記の重合した１辺の左右の各々に、該重合した１辺と同一水平面上において２箇所で屈曲するクランク部を各々有し、
前記鉄筋掛止部の左右のクランク部が、支持するスリーブの管軸方向に直交する上方の横鉄筋の上面に載置されると共に、左右のクランク部が立設する２本の立ち上がり鉄筋の内側に係合可能な構成であり、
前記鉄筋掛止部の両端部が、支持固定するスリーブの管軸方向と平行する上方の左右両側の２本の縦鉄筋の上面に架橋可能な構成であること、
を特徴とするスリーブ固定具。
【００１０】
２．前記スリーブ支持部を構成する計８辺の内の前記重合した１辺と対向する１辺である最下方の１辺が略正８角形の外側方向である下方に膨出した構成であることを特徴とする上記１に記載のスリーブ固定具。
【００１１】
３．前記鉄筋掛止部は、その表面に凹凸・リブ・節・粗面の如き何れかの表面加工が施された構成であることを特徴とする上記１又は２に記載のスリーブ固定具。
【００１２】
４．前記クランク部の２箇所の屈曲がいずれも略直角であることを特徴とする上記１〜３のいずれかに記載のスリーブ固定具。
【００１３】
５．前記クランク部の２箇所の屈曲がいずれも鋭角であることを特徴とする上記１〜３のいずれかに記載のスリーブ固定具。
【発明の効果】
【００１４】
請求項１に示す発明によれば、スリーブを鉄筋の適切な位置に確実且つ容易に固定支持させることができると共に、スリーブの固定支持箇所が直管部分と曲管部分のいずれの部分であっても対応可能なスリーブ固定具を提供することができる。
【００１５】
特に、鉄筋掛止部の左右のクランク部が、支持するスリーブの管軸方向に直交する上方の横鉄筋の上面に載置されると共に、左右のクランク部が立設する２本の立ち上がり鉄筋の内側に係合可能な構成によってスリーブの直管部分の支持が可能であり、更に、鉄筋掛止部の両端部が、支持固定するスリーブの管軸方向と平行する上方の左右両側の２本の縦鉄筋の上面に架橋可能な構成によってスリーブの曲管部分の支持が可能である。従って、１種類のスリーブ固定具によって、スリーブの直管部分と曲管部分のいずれの固定支持箇所であっても支持可能である。
【００１６】
また、スリーブを挿通支持するスリーブ支持部が８角形に構成されているので、スリーブの外周を８箇所の点接触で支持することになる。この点接触によって、例えば、スリーブの外径に対してスリーブ支持部の内径が僅かに一致しなかった場合であっても点接触部分と非接触部分との間で誤差を吸収することができる。これに対して、従来技術のようにスリーブ支持部が円形の場合、該円形の内径がスリーブの外径と一致しなかった場合、スリーブ支持部に歪みが生じ、この歪みが鉄筋掛止部にも波及するので支持が不安定になる場合があると。
【００１７】
請求項２に示す発明によれば、スリーブ支持部の膨出した部分にスリーブより細径のスリーブ・ボイド・配管・配線類のいずれか等を挿通して支持することができる。また、挿通支持しない場合であっても、この膨出した部分が打設したコンクリートに対する付着性を高めることができる。
【００１８】
請求項３に示す発明によれば、縦鉄筋に架橋した部分の位置ズレを抑制することができるので安定した位置での固定支持が可能となる。
【００１９】
請求項４に示す発明によれば、クランク部の外側と内側のいずれにおいても立ち上がり鉄筋に係合させることができる。
【００２０】
請求項５に示す発明によれば、クランク部の鋭角部分を立ち上がり鉄筋に嵌まり込んだ係合させることができるので固定支持をより安定させることができる。
【図面の簡単な説明】
【００２１】
【図１】本発明に係るスリーブ固定具の一実施例を示す６面図（正面図、平面図、底面図、左側面図、右側面図、背面図）
【図２】スリーブの直管部分を固定支持する場合の使用状態の一例を示す斜視図
【図３】スリーブの曲管部分を固定支持する場合の使用状態の一例を示す斜視図
【図４】クランク部が鋭角的に構成された例を示す概略平面図
【発明を実施するための形態】
【００２２】
次に、添付の図面に従って本発明を詳細に説明する。
【００２３】
本発明に係るスリーブ固定具１は、図１〜図３に示すように、
１本構成の棒状針金部材を一巻きした状態で形成されたスリーブ支持部２と、この一巻きした棒状針金部材の両端部が左右方向に延伸して前記スリーブ支持部２の上端左右両側に連設した状態で形成された鉄筋掛止部３と、を有し、
前記スリーブ支持部２が、該スリーブ支持部２に挿通して支持するスリーブ４の外径と略等しい内径を有して成る構成であって、
前記スリーブ支持部３が、両端部分を余らせた状態で１本構成の棒状針金部材を略一定間隔毎に約４５度の角度で８回折曲加工されて１つ目の折曲部分の手前部分と８つ目の折曲部分の向こう部分とが前記一定間隔と同じ長さ分だけ重合した１辺２０と該１辺に連設する７辺の計８辺から成る略正８角形構成であり、
前記鉄筋掛止部３が、前記の重合した１辺２０の左右の各々に、該重合した１辺２０と同一水平面上において２箇所で屈曲するクランク部３１を各々有し、
前記鉄筋掛止部３の左右のクランク部３１（３１Ｂ・３１Ａ）が、支持するスリーブ４の管軸方向に直交する上方の横鉄筋５の上面に載置されると共に、左右のクランク部３１（３１Ｂ・３１Ａ）が立設する２本の立ち上がり鉄筋７の内側に係合可能な構成であり、
前記鉄筋掛止部３の両端部３２（３２Ｂ・３２Ａ）が、支持固定するスリーブ４の管軸方向と平行する上方の左右両側の２本の縦鉄筋６・６の上面に架橋可能な構成を有するものである。
【００２４】
以下、本発明のスリーブ固定具１の各構成について更に詳説する。
【００２５】
本発明のスリーブ固定具１を構成する棒状針金部材としては、この種のスリーブ固定具に用いられる公知公用の針金部材を特別の制限なく挙げることができ、例えば、ステンレス鋼から成る棒状針金部材を挙げることができ、好ましくはバネ性を有するバネ鋼である棒状針金部材から形成される。
【００２６】
本発明のスリーブ固定具が固定支持するものとしては、スリーブに限らず、該スリーブと近似する用途に用いられるボイドを固定支持する場合にも用いることができる。
【００２７】
図２に示すように、スリーブ支持部２にスリーブ４の直管部分４１を挿通支持した状態で鉄筋掛止部３・３のクランク部３１・３１が立ち上がり鉄筋７・７に係合するように横鉄筋５の上面に載置することによって、スリーブ４の直管部分４１をコンクリート打設前の躯体内の鉄筋に安定した状態で確実に固定支持することができる。
【００２８】
また図３に示すように、スリーブ支持部２にスリーブ４の曲管部分４２を挿通支持した状態で鉄筋掛止部３・３を縦鉄筋６・６に載置することによって、スリーブ４の曲管部分４２をコンクリート打設前の躯体内の鉄筋に安定した状態で確実に固定支持することができる。
【００２９】
即ち、本発明のスリーブ固定具１によれば、１種類のスリーブ固定具１によって、スリーブ４の直管部分４１と曲管部分４２のいずれの固定支持箇所であっても支持可能である。
【００３０】
本発明のスリーブ固定具１のサイズ構成の一例としては、例えば、外径が約１１５ｍｍ程度のスリーブを固定支持する場合、スリーブ支持部２の略正８角形の１辺が約５０ｍｍ、左右のクランク部３１・３１間の距離が約１１５ｍｍｍ、各々のクランク部３１から鉄筋掛止部３の先端までの長さが約９０ｍｍ、スリーブ固定具１の全体の幅が約３００ｍｍ、高さが約１２０ｍｍである。このようなサイズ構成のスリーブ固定具１によれば、立ち上がり鉄筋７・７の間隔が約１２０ｍｍ、縦筋６・６の間隔が概ね１５０〜２５０ｍｍの配筋構成の躯体に用いることができる。
【００３１】
以上、本発明に係るスリーブ固定具の実施例について説明したが、本発明は上記実施例に限定されず、本発明の範囲内において種々の態様を採ることができる。
【００３２】
例えば、スリーブ支持部２を構成する計８辺の内の重合した１辺２１と対向する１辺である最下方の１辺を略正８角形の外側方向である下方に膨出するように棒状針金部材を折曲して膨出した１辺２２（図１の背面図に仮想線で示す。）とした構成とすることもできる。かかる構成によれば、スリーブ支持部２の膨出した部分２２にスリーブ４より細径のスリーブ・ボイド・配管・配線類のいずれか等を挿通して支持することができる。また、挿通支持しない場合であっても、この膨出した部分２２が打設したコンクリートに対する付着性を高めることができる。
【００３３】
また、鉄筋掛止部３の表面に凹凸・リブ・節・粗面の如き何れかの表面加工が施された構成とすることもできる。かかる構成によれば、縦鉄筋６に架橋した部分の位置ズレを抑制することができるので安定した位置での固定支持が可能となる。更に、打設したコンクリートへの付着性が向上する。
【００３４】
更に、上記実施例では、クランク部３１は２箇所の屈曲がいずれも略直角であるが、図４に示すように鋭角構成とすることもできる。かかる構成によれば、クランク部３１の鋭角部分を立ち上がり鉄筋７に嵌まり込んだ状態で係合させることができるので固定支持をより安定させることができる。
【符号の説明】
【００３５】
１  スリーブ固定具
２  スリーブ支持部
２１  重合した１辺
２２  膨出した１辺
３  鉄筋掛止部
３１  クランク部
４  スリーブ
４１  直管部分
４２  曲管部分
５  横鉄筋
６  縦鉄筋
７  立ち上がり鉄筋
【図１】
2018012920.tif 000003
【図２】
2018012920.tif 000004
【図３】
2018012920.tif 000005
【図４】
2018012920.tif 000006